(57)【特許請求の範囲】
【請求項１】
複数のＳＩＭカードを装着可能な保持手段と、
現在の日時を示す日時情報を生成する日時情報生成手段と、
情報が記憶される記憶手段と、
前記保持手段に装着されている前記複数のＳＩＭカードのいずれかに記憶されている識別情報に基づいて提供されるサービスに応じた通信を行う通信手段と、
提供される前記サービスを選択するために、前記複数のＳＩＭカードのいずれかを選択する制御手段とを備え、
前記記憶手段には、一のＳＩＭカードに応じたサービスの提供を受けたい使用期間を示す使用態様情報が記憶され、
前記制御手段は、前記日時情報が示す日時が、前記使用態様情報によって示される前記使用期間内である場合に前記一のＳＩＭカードを選択し、前記使用期間外である場合に他のＳＩＭカードを選択し、
前記通信手段は、前記制御手段が選択したＳＩＭカードに記憶されている識別情報に基づいて提供されるサービスに応じた通信を行い、
前記一のＳＩＭカードに応じたサービスは、前記使用期間内において、所定の通信量に到達するまで提供され、
前記制御手段は、前記記憶手段に記憶されている使用態様情報に複数の使用期間が設定されている場合に、各使用期間に前記所定の通信量を分割して割り当てる
ことを特徴とする通信装置。
【請求項２】
前記一のＳＩＭカードに応じたサービスの提供を受けている所定の積算期間内に前記通信手段が行った通信による通信量を積算する通信量積算手段を含み、
前記制御手段は、前記通信量積算手段が積算した通信量が前記所定の通信量に到達した場合に、前記他のＳＩＭカードを選択する
請求項１に記載の通信装置。
【請求項３】
前記制御手段は、前記通信量積算手段が積算した通信量が、対応する使用期間に割り当てられた通信量に到達した場合に、前記他のＳＩＭカードを選択する
請求項２に記載の通信装置。
【請求項４】
前記使用態様情報には、前記使用期間として、曜日と時間帯との組み合わせが設定されている
請求項１から請求項３のうちいずれかに記載の通信装置。
【請求項５】
現在の日時を示す日時情報を生成する日時情報生成ステップと、
保持されている複数のＳＩＭカードのいずれかに記憶されている識別情報に基づいて提供されるサービスに応じた通信を行う通信ステップと、
提供される前記サービスを選択するために、前記複数のＳＩＭカードのいずれかを選択する制御ステップとを含み、
情報が記憶される記憶手段には、一のＳＩＭカードに応じたサービスの提供を受けたい使用期間を示す使用態様情報が記憶され、
前記制御ステップで、前記日時情報が示す日時が、前記使用態様情報によって示される前記使用期間内である場合に前記一のＳＩＭカードを選択し、前記使用期間外である場合に他のＳＩＭカードを選択し、
前記通信ステップで、前記制御ステップで選択したＳＩＭカードに記憶されている識別情報に基づいて提供されるサービスに応じた通信を行い、
前記一のＳＩＭカードに応じたサービスは、前記使用期間内において、所定の通信量に到達するまで提供され、
前記制御ステップで、前記記憶手段に記憶されている使用態様情報に複数の使用期間が設定されている場合に、各使用期間に前記所定の通信量を分割して割り当てる
ことを特徴とする通信方法。
【請求項６】
コンピュータに、
現在の日時を示す日時情報を生成する日時情報生成処理と、
保持されている複数のＳＩＭカードのいずれかに記憶されている識別情報に基づいて提供されるサービスに応じた通信を行う通信処理と、
提供される前記サービスを選択するために、前記複数のＳＩＭカードのいずれかを選択する制御処理とを実行させ、
情報が記憶される記憶手段には、一のＳＩＭカードに応じたサービスの提供を受けたい使用期間を示す使用態様情報が記憶され、
前記制御処理で、前記日時情報が示す日時が、前記使用態様情報によって示される前記使用期間内である場合に前記一のＳＩＭカードを選択し、前記使用期間外である場合に他のＳＩＭカードを選択させ、
前記通信処理で、前記制御処理で選択したＳＩＭカードに記憶されている識別情報に基づいて提供されるサービスに応じた通信を行わせ、
前記一のＳＩＭカードに応じたサービスを、前記使用期間内において、所定の通信量に到達するまで提供させ、
前記制御処理で、前記記憶手段に記憶されている使用態様情報に複数の使用期間が設定されている場合に、各使用期間に前記所定の通信量を分割して割り当てさせる
ための通信用プログラム。
【発明の詳細な説明】
【技術分野】
【０００１】
本発明は、移動体通信網を介して通信を行う通信装置、通信方法、および通信用プログラムに関する。
【背景技術】
【０００２】
複数の事業者が、様々な移動体通信サービスを提供している。それら事業者は、移動体通信サービスの提供をうけるユーザとサービス内容に応じた契約をして、当該契約によるサービスの提供先を識別可能な情報が記憶されたＳＩＭ（Ｓｕｂｓｃｒｉｂｅｒ  Ｉｄｅｎｔｉｔｙ  Ｍｏｄｕｌｅ）カードを当該ユーザに提供する。移動体通信サービスのユーザは、利用する移動体通信サービスに応じたＳＩＭカードを携帯通信装置に装着して当該移動体通信サービスの提供を受ける。
【０００３】
また、事業者が提供する移動体通信サービスの契約には、例えば、（１）所定の値に制限された通信速度で、通信量を制限されることなく通信をすることができる契約、や、（２）所定の通信量まで、（１）の通信速度よりも速い速度で通信をすることができる契約等がある。
【０００４】
特許文献１には、複数種類の移動体通信サービスを利用するために、複数のＳＩＭカードを装着可能な通信端末装置が記載されている。
【先行技術文献】
【特許文献】
【０００５】
【特許文献１】特開２００２−１３５４０７号公報
【発明の概要】
【発明が解決しようとする課題】
【０００６】
前述したような（１）の契約内容に応じたＳＩＭカードと、（２）の契約内容に応じたＳＩＭカードとを特許文献１に記載されたような通信端末装置に装着することが考えられる。そして、（２）の契約内容に応じた速い速度で、所定の通信量まで通信を行ってしまう場合がある。そうすると、その後に高速通信を行いたい場合であっても、（１）の契約内容に応じた制限された通信速度で通信を行わなくてはならないという問題が生じる。
【０００７】
そのような問題の発生を防ぐためには、通信端末装置のユーザは、（１）の契約内容に応じた通信中に、常に通信量を把握し、把握した通信量に応じて適宜（２）の契約内容に応じた通信に変更する操作を行わなければならない。よって、手間がかかるという問題が生じる。
【０００８】
そこで、本発明は、ユーザが手間をかけることなく、使用態様および契約内容に応じて通信サービスの提供を受けることができる通信装置、通信方法、および通信用プログラムを提供することを目的とする。
【課題を解決するための手段】
【０００９】
本発明による通信装置は、複数のＳＩＭカードを装着可能な保持手段と、現在の日時を示す日時情報を生成する日時情報生成手段と、情報が記憶される記憶手段と、保持手段に装着されている複数のＳＩＭカードのいずれかに記憶されている識別情報に基づいて提供されるサービスに応じた通信を行う通信手段と、提供されるサービスを選択するために、複数のＳＩＭカードのいずれかを選択する制御手段とを備え、記憶手段には、一のＳＩＭカードに応じたサービスの提供を受けたい使用期間を示す使用態様情報が記憶され、制御手段は、日時情報が示す日時が、使用態様情報によって示される使用期間内である場合に一のＳＩＭカードを選択し、使用期間外である場合に他のＳＩＭカードを選択し、通信手段は、制御手段が選択したＳＩＭカードに記憶されている識別情報に基づいて提供されるサービスに応じた通信を行うことを特徴とする。
【００１０】
本発明による通信方法は、現在の日時を示す日時情報を生成する日時情報生成ステップと、保持されている複数のＳＩＭカードのいずれかに記憶されている識別情報に基づいて提供されるサービスに応じた通信を行う通信ステップと、提供されるサービスを選択するために、複数のＳＩＭカードのいずれかを選択する制御ステップとを含み、情報が記憶される記憶手段には、一のＳＩＭカードに応じたサービスの提供を受けたい使用期間を示す使用態様情報が記憶され、制御ステップで、日時情報が示す日時が、使用態様情報によって示される使用期間内である場合に一のＳＩＭカードを選択し、使用期間外である場合に他のＳＩＭカードを選択し、通信ステップで、制御ステップで選択したＳＩＭカードに記憶されている識別情報に基づいて提供されるサービスに応じた通信を行うことを特徴とする。
【００１１】
本発明による通信用プログラムは、コンピュータに、現在の日時を示す日時情報を生成する日時情報生成処理と、保持されている複数のＳＩＭカードのいずれかに記憶されている識別情報に基づいて提供されるサービスに応じた通信を行う通信処理と、提供されるサービスを選択するために、複数のＳＩＭカードのいずれかを選択する制御処理とを実行させ、情報が記憶される記憶手段には、一のＳＩＭカードに応じたサービスの提供を受けたい使用期間を示す使用態様情報が記憶され、制御処理で、日時情報が示す日時が、使用態様情報によって示される使用期間内である場合に一のＳＩＭカードを選択し、使用期間外である場合に他のＳＩＭカードを選択させ、通信処理で、制御処理で選択したＳＩＭカードに記憶されている識別情報に基づいて提供されるサービスに応じた通信を行わせることを特徴とする。
【発明の効果】
【００１２】
本発明によれば、ユーザが手間をかけることなく、使用態様および契約内容に応じて通信サービスの提供を受けることができる。
【図面の簡単な説明】
【００１３】
【図１】本発明の第１の実施形態の通信装置の構成例を示すブロック図である。
【図２】記憶部に、契約内容情報を記憶させる動作を示すフローチャートである。
【図３】記憶部に記憶されている契約内容情報の例を示す説明図である。
【図４】記憶部に、使用態様情報を設定する動作を示すフローチャートである。
【図５】ステップＳ２０３，Ｓ２０４の処理で設定された、ユーザの使用態様に応じた使用態様情報の例を示す説明図である。
【図６】ＳＩＭカードの選択処理を示すフローチャートである。
【図７】記憶部に記憶されている通信量情報の例を示す説明図である。
【図８】本発明の第２の実施形態の通信装置の構成例を示すブロック図である。
【図９】本発明の第２の実施形態の通信装置の動作を示すフローチャートである。
【図１０】本発明の第３の実施形態の通信装置の構成例を示すブロック図である。
【発明を実施するための形態】
【００１４】
実施形態１．
本発明の第１の実施形態の通信装置１００について、図面を参照して説明する。図１は、本発明の第１の実施形態の通信装置１００の構成例を示すブロック図である。図１に示すように、本発明の第１の実施形態の通信装置１００は、第１のＳＩＭカードスロット１１０、第２のＳＩＭカードスロット１２０、通信部１３０、通信量監視部１４０、日時情報生成部１５０、記憶部１６０、および制御部１７０を含む。
【００１５】
第１のＳＩＭカードスロット１１０および第２のＳＩＭカードスロット１２０には、ＳＩＭカードがそれぞれ装着される。なお、本例では、第２のＳＩＭカードスロット１２０には、（１）所定の値に制限された通信速度で、通信量を制限されることなく通信をすることができる契約、に従った通信サービスの提供先を識別する識別情報が記憶された第２のＳＩＭカード２２０が装着されているとする。また、本例では、第１のＳＩＭカードスロット１１０には、（２）所定の通信量まで、（１）の通信速度よりも速い速度で通信をすることができる契約、に従った通信サービスの提供先を識別する識別情報が記憶された第１のＳＩＭカード２１０が装着されているとする。
【００１６】
通信部１３０は、携帯電話網等の移動体通信網の基地局と通信を行う。通信量監視部１４０は、通信部１３０が送信したデータの量と受信したデータの量との合計である通信量を積算する。日時情報生成部１５０は、現在日時を示す日時情報を生成して制御部１７０に入力する。記憶部１６０には、第１のＳＩＭカードスロット１１０に装着されている第１のＳＩＭカード２１０に応じた契約内容、および第２のＳＩＭカードスロット１２０に装着されている第２のＳＩＭカード２２０に応じた契約内容を含む契約内容情報が記憶される。また、記憶部１６０には、ユーザの使用態様を示す使用態様情報が記憶される。制御部１７０は、通信装置１００の全体を制御する。
【００１７】
なお、通信装置１００は、例えば、携帯電話機や可搬型コンピュータ等に接続されて、それら装置と移動体通信網の基地局との間の通信を中継するモバイルルータや、携帯電話機等である。また、制御部１７０は、例えば、プログラム制御に従って処理を実行するＣＰＵ（Ｃｅｎｔｒａｌ  Ｐｒｏｃｅｓｓｉｎｇ  Ｕｎｉｔ）によって実現される。
【００１８】
次に、本発明の第１の実施形態の通信装置１００の動作について説明する。まず、本発明の第１の実施形態の通信装置１００の記憶部１６０に、契約内容情報を記憶させる動作について説明する。図２は、記憶部１６０に、契約内容情報を記憶させる動作を示すフローチャートである。
【００１９】
図２に示すように、制御部１７０は、ユーザによってなされた操作に応じて、契約に基づいて提供をうけるサービスの態様を特定する（ステップＳ１０１）。具体的には、制御部１７０は、通信装置１００に接続された装置や、自装置の表示手段（図示せず）に、契約に基づいて提供をうけるサービスをユーザに選択させる画面を表示させる。より具体的には、本例では、第２のＳＩＭカードスロット１２０に装着されている第２のＳＩＭカード２２０に応じた契約に基づいて、（１）の通信速度よりも速い速度で通信をすることができる所定の通信量の積算期間をユーザに選択させる画面を表示させる。所定の通信量の積算期間とは、なされた通信による通信量を、契約内容に応じて所定の通信量に到達するまで積算する期間であり、例えば、１日や、３０日、１か月等である。本例では、ＳＩＭカード２２０に応じた、前述した（２）の契約によれば、当該期間を経過したり、当該期間の経過前に通信量が所定の通信量に到達したりした場合に、通信部１３０は、移動体通信網の基地局とデータ通信を行うことができなくなるとする。なお、ＳＩＭカード２２０に応じた、前述した（２）の契約に基づいて、当該期間を経過したり、当該期間の経過前に通信量が所定の通信量に到達したりした場合に、通信部１３０は、当初の通信速度よりも遅い通信速度で移動体通信網の基地局とデータ通信を行うように設定されていてもよい。
【００２０】
制御部１７０は、表示手段に表示された画面に応じて、通信装置１００に接続された装置や、自装置の操作手段（図示せず）にユーザによってなされた操作に応じて、所定の通信量の積算期間を特定する。
【００２１】
制御部１７０は、ステップＳ１０１の処理で、操作手段になされた操作に応じて、所定の通信量の積算期間が１日であると特定した場合に（ステップＳ１０１のＹ）、ステップＳ１０２の処理に移行し、そうでない場合に（ステップＳ１０１のＮ）、ステップＳ１０３の処理に移行する。
【００２２】
そして、制御部１７０は、ステップＳ１０２の処理で、記憶部１６０に記憶されている契約内容情報に、所定の通信量を設定する（ステップＳ１０２）。具体的には、制御部１７０は、通信装置１００に接続された装置や、自装置の表示手段に、契約内容に従った所定の通信量の入力をユーザに促す画面を表示させる。そして、制御部１７０は、表示手段に表示された画面に応じて、通信装置１００に接続された装置や、自装置の操作手段（図示せず）にユーザによってなされた操作に応じて、所定の通信量を特定する。そして、制御部１７０は、記憶部１６０に記憶されている契約内容情報に、特定した所定の通信量を設定して、処理を終了する。
【００２３】
図３は、記憶部１６０に記憶されている契約内容情報の例を示す説明図である。図３に示す例において、Ａの行には、ステップＳ１０２の処理で設定された内容に応じて、１日あたりの通信量が１００ＭＢであることが示されている。
【００２４】
また、制御部１７０は、ステップＳ１０３の処理で、記憶部１６０に記憶されている契約内容情報に、所定の通信量の積算期間を設定する（ステップＳ１０３）。具体的には、制御部１７０は、通信装置１００に接続された装置や、自装置の表示手段に、契約内容に従った所定の通信量の積算期間の入力をユーザに促す画面を表示させる。そして、制御部１７０は、表示手段に表示された画面に応じて、通信装置１００に接続された装置や、自装置の操作手段にユーザによってなされた操作に応じて、所定の通信量の積算期間を特定する。そして、制御部１７０は、記憶部１６０に記憶されている契約内容情報に、特定した所定の通信量の積算期間を設定する。
【００２５】
さらに、制御部１７０は、記憶部１６０に記憶されている契約内容情報に、所定の通信量を設定する（ステップＳ１０４）。具体的には、制御部１７０は、通信装置１００に接続された装置や、自装置の表示手段に、契約内容に従った所定の通信量の入力をユーザに促す画面を表示させる。そして、制御部１７０は、表示手段に表示された画面に応じて、通信装置１００に接続された装置や、自装置の操作手段にユーザによってなされた操作に応じて、所定の通信量を特定する。そして、制御部１７０は、記憶部１６０に記憶されている契約内容情報に、特定した所定の通信量を設定する。
【００２６】
制御部１７０は、ステップＳ１０３の処理で設定された所定の通信量の積算期間と、ステップＳ１０４の処理で設定された所定の通信量とに基づいて、１日あたりの通信量を算出する（ステップＳ１０５）。そして、制御部１７０は、記憶部１６０に記憶されている契約内容情報に、ステップＳ１０５の処理による算出結果を設定する。
【００２７】
なお、制御部１７０は、図１に示す各処理を、ユーザの要求処理に応じて行ってもよいし、ＳＩＭカードスロット１１０，１２０に装着されたＳＩＭカード２１０，２２０が変更されたことを検出した場合に行ってもよい。
【００２８】
図３に示す例において、Ｂの行には、ステップＳ１０３の処理で設定された内容に応じて、所定の通信量の積算期間が３０日であることが示されている。また、図３に示す例において、Ｂの行には、ステップＳ１０４の処理で設定された内容に応じて、所定の通信量が３ＧＢであることが示されている。そして、図３に示す例において、Ｂの行には、ステップＳ１０５の処理で算出された内容に応じて、１日あたりの通信量が１００ＭＢであることが示されている。
【００２９】
次に、本発明の第１の実施形態の通信装置１００の記憶部１６０に、ユーザの使用態様に応じた使用態様情報を設定する動作について説明する。図４は、記憶部１６０に、使用態様情報を設定する動作を示すフローチャートである。
【００３０】
制御部１７０は、まず、ユーザによってなされた操作に応じて、ユーザが高速通信を行いたい指定日時を設定する場合に（ステップＳ２０１のＹ）、ステップＳ２０３の処理に移行し、そうでない場合に（ステップＳ２０１のＮ）、ステップＳ２０２の処理に移行する。
【００３１】
具体的には、制御部１７０は、通信装置１００に接続された装置や、自装置の表示手段に、高速通信を行いたい指定日時があるか否かをユーザに選択させる画面を表示させる。そして、制御部１７０は、表示手段に表示された画面に応じて、通信装置１００に接続された装置や、自装置の操作手段にユーザによってなされた操作に応じて、指定日時を設定するか否かを判断する。そして、制御部１７０は、指定日時を設定すると判断した場合に（ステップＳ２０１のＹ）、ステップＳ２０３の処理に移行し、そうでない場合に（ステップＳ２０１のＮ）、ステップＳ２０２の処理に移行する。
【００３２】
制御部１７０は、ステップＳ２０２の処理で、ユーザに、使用したいＳＩＭカードを選択させる（ステップＳ２０２）。
【００３３】
具体的には、制御部１７０は、通信装置１００に接続された装置や、自装置の表示手段に、使用したいＳＩＭカードをユーザに選択させる画面を表示させる。そして、制御部１７０は、表示手段に表示された画面に応じて、通信装置１００に接続された装置や、自装置の操作手段にユーザによってなされた操作に応じて、高速通信に応じたＳＩＭカードを選択する。制御部１７０は、選択結果に従ったＳＩＭカードに記憶されている情報に基づいて処理を実行することに決定し、処理を終了する。
【００３４】
また、制御部１７０は、ステップＳ２０３の処理で、ユーザが高速通信を行いたい指定日時のうち曜日を設定する（ステップＳ２０３）。
【００３５】
具体的には、制御部１７０は、通信装置１００に接続された装置や、自装置の表示手段に、高速通信を行いたい曜日をユーザに選択させる画面を表示させる。そして、制御部１７０は、表示手段に表示された画面に応じて、通信装置１００に接続された装置や、自装置の操作手段にユーザによってなされた操作に応じて、ユーザが高速通信を行いたい曜日を設定する。
【００３６】
さらに、制御部１７０は、ステップＳ２０３の処理で特定された曜日において、ユーザが高速通信を行いたい時間帯を設定する（ステップＳ２０４）。
【００３７】
具体的には、制御部１７０は、通信装置１００に接続された装置や、自装置の表示手段に、高速通信を行いたい時間帯をユーザに選択させる画面を表示させる。そして、制御部１７０は、表示手段に表示された画面に応じて、通信装置１００に接続された装置や、自装置の操作手段にユーザによってなされた操作に応じて、ユーザが高速通信を行いたい時間帯を設定する。
【００３８】
制御部１７０は、ユーザが高速通信を行いたい指定日時をさらに設定する場合に（ステップＳ２０５のＹ）、ステップＳ２０３の処理に移行し、そうでない場合に（ステップＳ２０５のＮ）、ステップＳ２０６の処理に移行する。
【００３９】
具体的には、制御部１７０は、通信装置１００に接続された装置や、自装置の表示手段に、高速通信を行いたい指定日時がさらにあるか否かをユーザに選択させる画面を表示させる。そして、制御部１７０は、表示手段に表示された画面に応じて、通信装置１００に接続された装置や、自装置の操作手段にユーザによってなされた操作に応じて、指定日時をさらに設定するか否かを判断する。そして、制御部１７０は、指定日時をさらに設定すると判断した場合に（ステップＳ２０５のＹ）、ステップＳ２０３の処理に移行し、そうでない場合に（ステップＳ２０５のＮ）、ステップＳ２０６の処理に移行する。
【００４０】
図５は、ステップＳ２０３，Ｓ２０４の処理で設定された、ユーザの使用態様に応じた使用態様情報の例を示す説明図である。図５に示す例では、月曜日に、７：００〜８：００の間、および１９：００〜２０：３０の間に高速通信を行うことが使用態様情報に設定されている。また、図５に示す例では、火曜日に、７：００〜８：００の間、１２：００〜１３：００の間、および１９：００〜２０：３０の間に高速通信を行うことが使用態様情報に設定されている。図５に示す例では、水曜日に、７：００〜８：００の間、および１７：００〜２１：００の間に高速通信を行うことが使用態様情報に設定されている。また、図５に示す例では、金曜日に、７：００〜８：００の間、および１９：００〜２０：３０の間に高速通信を行うことが使用態様情報に設定されている。
【００４１】
制御部１７０は、ステップＳ２０６の処理で、図２に示すステップＳ１０２の処理結果またはステップＳ１０５の処理結果に基づいて設定された、図３に示す記憶部１６０に記憶されている契約内容情報を参照する（ステップＳ２０６）。そして、制御部１７０は、各曜日ごとに１時間あたりの通信量を算出して（ステップＳ２０７）、算出結果を使用態様情報に設定し、処理を終了する。
【００４２】
なお、各曜日ごとの１時間あたりの通信量は、制御部１７０が、図３に示す契約内容情報における１日あたりの通信量を、図５に示す使用態様情報における各曜日ごとの高速通信の使用時間の合計で除算することで算出される。
【００４３】
具体的には、例えば、月曜日における高速通信の使用時間の合計は、２時間３０分である。そこで、制御部１７０が、図３に例示した１日あたりの通信量である１００ＭＢを２．５で除算すると、１時間あたりの通信量は、４０ＭＢである。そして、制御部１７０が、算出した１時間あたりの通信量である１０ＭＢを、７：００〜８：００の時間帯の１時間および１９：００〜２０：３０の時間帯の１．５時間に均等にそれぞれ割り当てる。すると、７：００〜８：００の時間帯に４０ＭＢが割り当てられ、１９：００〜２０：３０の時間帯に６０ＭＢが割り当てられる。
【００４４】
図５の通信量の欄には、当該算出の結果に基づいて割り当てられた、各時間帯ごとの通信量が示されている。なお、図５に示す例では、各時間帯の通信量の合計が、図３に示す契約内容情報における１日あたりの通信量と合致するように適宜調整されている。
【００４５】
次に、通信部１３０が通信を行う場合に制御部１７０が行うＳＩＭカードの選択処理について説明する。図６は、ＳＩＭカードの選択処理を示すフローチャートである。
【００４６】
制御部１７０は、まず、日時情報生成部１５０が生成した日時情報と、図５に示す契約内容情報とに基づいて、現在の曜日に高速通信の時間帯が設定されているか否かを判断する（ステップＳ３０１）。なお、制御部１７０は、例えば、記憶部１６０に予め記憶されている各日付と曜日とが対応付けられた暦情報に基づいて、現在の曜日を特定可能であるとする。
【００４７】
制御部１７０は、現在の曜日に高速通信を使用する時間帯が設定されていると判断した場合に（ステップＳ３０１のＹ）、記憶部１６０に記憶されている通信量情報を読み出す（ステップＳ３０２）。
【００４８】
通信量情報について説明する。通信量情報とは、通信部１３０が行った通信による通信量を含む通信量に関する情報である。図７は、記憶部１６０に記憶されている通信量情報の例を示す説明図である。図７に示すように、通信量情報は、図５に示す使用態様情報における現在日時が含まれる時間帯に使用可能な通信量を示す使用可能通信量情報、当該時間帯に使用した通信量を示す使用通信量情報、当該時間帯に使用可能な通信残量を示す残使用可能通信量情報、当日に使用した通信量を示す当日使用通信量情報、および対応するＳＩＭカードに基づく累計通信量を示す累計通信量情報を含む。
【００４９】
図７には、使用可能通信量情報に６０ＭＢが設定されていることが示されている。また、図７には、使用通信量情報に１０ＭＢが設定されていることが示されている。図７には、残使用可能通信量情報に５０ＭＢが設定されていることが示されている。また、図７には、当日使用通信量情報に５０ＭＢが設定されていることが示されている。図７には、累計通信量情報に４００ＭＢが設定されていることが示されている。
【００５０】
そして、制御部１７０は、日時情報生成部１５０が生成した日時情報が示す日時が、契約内容情報が示す時間帯に含まれているか否かを判断する（ステップＳ３０３）。制御部１７０は、日時情報生成部１５０が生成した日時情報が示す日時が、契約内容情報が示す時間帯に含まれていない場合に（ステップＳ３０３のＮ）、第２のＳＩＭカードスロット１２０に装着されている第２のＳＩＭカード２２０に基づく通信を行うと決定する（ステップＳ３０４）。そして、制御部１７０は、第２のＳＩＭカード２２０に基づく通信を通信部１３０に指示してステップＳ３０３の処理に移行し、通信部１３０は、第２のＳＩＭカード２２０に基づく通信を行う。なお、第２のＳＩＭカード２２０に基づく通信とは、例えば、第２のＳＩＭカード２２０に記憶されている識別情報に基づいて提供される通信サービスに応じた通信をいう。
【００５１】
制御部１７０は、日時情報生成部１５０が生成した日時情報が示す日時が、契約内容情報が示す時間帯に含まれている場合に（ステップＳ３０３のＹ）、第１のＳＩＭカードスロット１１０に装着されている第１のＳＩＭカード２１０に基づく通信を行うと決定する（ステップＳ３０５）。さらに、日時情報生成部１５０が生成した日時情報が示す日時が、契約内容情報が示す時間帯に含まれており（ステップＳ３０６のＹ）、通信量監視部１４０が積算した通信量が、使用可能通信量情報が示す通信量を超えるまで（ステップＳ３０７のＮ）、制御部１７０は、第１のＳＩＭカード２１０に基づく通信を通信部１３０に指示し、通信部１３０は、第１のＳＩＭカード２１０に基づく通信を行う。また、制御部１７０は、通信量監視部１４０に、通信部１３０が行う通信による通信量の積算を指示する。通信量監視部１４０は、制御部１７０の指示に応じて通信部１３０が行う通信による通信量を積算する。なお、第１のＳＩＭカード２１０に基づく通信とは、例えば、第１のＳＩＭカード２１０に記憶されている識別情報に基づいて提供される通信サービスに応じた通信をいう。
【００５２】
日時情報生成部１５０が生成した日時情報が示す日時が、契約内容情報が示す時間帯に含まれなくなった場合（ステップＳ３０６のＮ）、または通信量監視部１４０が積算した通信量が、使用可能通信量情報が示す通信量を超えた場合に（ステップＳ３０７のＹ）、制御部１７０は、第２のＳＩＭカードスロット１２０に装着されている第２のＳＩＭカード２２０に基づく通信を行うと決定する（ステップＳ３０８）。
【００５３】
そして、制御部１７０は、第２のＳＩＭカード２２０に基づく通信を通信部１３０に指示してステップＳ３０９の処理に移行し、通信部１３０は、第２のＳＩＭカード２２０に基づく通信を行う。また、制御部１７０は、通信量監視部１４０に、通信部１３０が行う通信による通信量の積算の停止を指示する。通信量監視部１４０は、制御部１７０の指示に応じて通信部１３０が行う通信による通信量の積算を停止する。
【００５４】
制御部１７０は、ステップＳ３０９の処理で、日時情報生成部１５０が生成した日時情報が示す日時に基づいて、現在時刻以後の当日に、契約内容情報が示す時間帯があるか否かを判断する（ステップＳ３０９）。
【００５５】
制御部１７０は、現在時刻以後の当日に、契約内容情報が示す時間帯があると判断した場合に（ステップＳ３０９のＹ）、通信量監視部１４０が積算した通信量に基づいて、図５に示す使用態様情報を更新し（ステップＳ３１０）、ステップＳ３０３の処理に移行する。具体的には、制御部１７０は、ステップＳ３１０の処理で、使用可能通信量情報が示す通信量から通信量監視部１４０が積算した通信量を減じた差の通信量を、使用態様情報が示す、当日の現在時刻以後の時間帯の通信量に加算する。
【００５６】
より具体的には、図５に示す例では、水曜日の７：００〜８：００の時間帯に設定されている通信量は２０ＭＢなのであるが、当該時間帯に通信量監視部１４０が積算した通信量が１０ＭＢであったとする。すると、制御部１７０は、２０ＭＢ−１０ＭＢ＝１０ＭＢの演算を行う。そして、制御部１７０は、算出した１０ＭＢを、１７：００〜２１：００の時間帯に設定されている通信量である８０ＭＢに加算する。すなわち、制御部１７０は、１０ＭＢ＋８０ＭＢ＝９０ＭＢの演算を行い、演算結果である９０ＭＢを１７：００〜２１：００の時間帯の通信量に設定する。
【００５７】
また、図５に示す例では、火曜日の７：００〜８：００の時間帯に設定されている通信量は２８ＭＢなのであるが、当該時間帯に通信量監視部１４０が積算した通信量が１８ＭＢであったとする。すると、制御部１７０は、２８ＭＢ−１８ＭＢ＝１０ＭＢの演算を行う。そして、制御部１７０は、算出した１０ＭＢを、１２：００〜１３：００の時間帯に設定されている通信量、および１９：００〜２０：３０の時間帯に設定されている通信量に割り振って加算する。例えば、制御部１７０は、１２：００〜１３：００の時間帯に設定されている通信量、および１９：００〜２０：３０の時間帯に設定されている通信量に、それぞれ５ＭＢずつ割り振って加算する。すなわち、制御部１７０は、５ＭＢ＋２８ＭＢ＝３３ＭＢの演算を行い、演算結果である３３ＭＢを１２：００〜１３：００の時間帯の通信量に設定する。また、制御部１７０は、５ＭＢ＋４４ＭＢ＝４９ＭＢの演算を行い、演算結果である４９ＭＢを１９：００〜２０：３０の時間帯の通信量に設定する。なお、制御部１７０は、例えば、各時間帯の長さに応じた割合で当該各時間帯に通信量を割り振るように構成されていてもよい。また、使用可能通信量情報が示す通信量から通信量監視部１４０が積算した通信量を減じた差が０ＭＢであった場合には、使用可能通信量情報が示す通信量が全て使用されたので、他の時間帯への通信量の割り当ては行われない。
【００５８】
制御部１７０は、ステップＳ３０１の処理で、現在の曜日に高速通信を使用する時間帯が設定されていないと判断した場合に（ステップＳ３０１のＮ）、図７に例示した通信量情報を読み出して（ステップＳ３１１）、更新し、通信装置１００に接続された装置や、自装置の表示手段に、表示させる。
【００５９】
具体的には、制御部１７０は、ステップＳ１０５の処理で算出し、図３に示す契約内容情報における１日あたりの通信量の値に、使用可能通信量情報の値を更新する。また、制御部１７０は、通信量監視部１４０が積算している通信量に、使用通信量情報の値を更新する。当日における通信の開始前であれば、通信量監視部１４０が積算している通信量は０ＭＢであるので、使用通信量情報の値は０ＭＢに更新される。制御部１７０は、更新された使用可能通信量情報の値から更新された使用通信量情報の値を減算した差に、残使用可能通信量情報の値を更新する。使用通信量情報の値が０ＭＢであれば、残使用可能通信量情報の値は、更新された使用可能通信量情報の値になる。また、制御部１７０は、当日における通信の開始前であれば、当日使用通信量情報の値を０ＭＢに更新する。なお、累計通信量情報は、本処理では更新されずに表示される。
【００６０】
そして、制御部１７０は、第１のＳＩＭカードスロット１１０に装着されている第１のＳＩＭカード２１０に基づく通信を行うと決定する（ステップＳ３１２）。通信量監視部１４０が積算した通信量が、使用可能通信量情報が示す通信量を超えるまで（ステップＳ３１３のＮ）、制御部１７０は、第１のＳＩＭカード２１０に基づく通信を通信部１３０に指示し、通信部１３０は、第１のＳＩＭカード２１０に基づく通信を行う。また、制御部１７０は、通信量監視部１４０に、通信部１３０が行う通信による通信量の積算を指示する。通信量監視部１４０は、制御部１７０の指示に応じて通信部１３０が行う通信による通信量を積算する。
【００６１】
通信量監視部１４０が積算した通信量が、使用可能通信量情報が示す通信量を超えた場合に（ステップＳ３１３のＹ）、制御部１７０は、第２のＳＩＭカードスロット１２０に装着されている第２のＳＩＭカード２２０に基づく通信を行うと決定する（ステップＳ３１４）。
【００６２】
そして、制御部１７０は、第２のＳＩＭカード２２０に基づく通信を通信部１３０に指示し、通信部１３０は、第２のＳＩＭカード２２０に基づく通信を行う。また、制御部１７０は、通信量監視部１４０に、通信部１３０が行う通信による通信量の積算の停止を指示する。通信量監視部１４０は、制御部１７０の指示に応じて通信部１３０が行う通信による通信量の積算を停止する。
【００６３】
なお、制御部１７０は、ステップＳ３０２の処理で、図７に例示した通信量情報を更新して、通信装置１００に接続された装置や、自装置の表示手段に、表示させてもよい。具体的には、制御部１７０は、使用可能通信量情報の値を、日時情報が示す日時が含まれている、図５に示す各時間帯に設定されている通信量に更新する。また、制御部１７０は、使用通信量情報の値を、通信量監視部１４０が積算している通信量に更新する。当該時間帯における通信の開始前であれば、通信量監視部１４０が積算している通信量は０ＭＢであるので、使用通信量情報の値は０ＭＢに更新される。制御部１７０は、残使用可能通信量情報の値を、更新された使用可能通信量情報の値から更新された使用通信量情報の値を減算した差に更新する。使用通信量情報の値が０ＭＢであれば、残使用可能通信量情報の値は、更新された使用可能通信量情報の値になる。また、制御部１７０は、日時情報が示す日時以前に、図５に各時間帯のいずれもが到来していない場合に、当日使用通信量情報の値を０ＭＢに更新する。なお、累計通信量情報は、本処理では更新されずに表示される。
【００６４】
本実施形態によれば、制御部１７０が、ユーザによって予め契約内容情報に設定された時間帯以外を、当該時間帯よりも低速で通信を行うように通信部１３０に指示するように構成されている。そして、制御部１７０は、当該時間帯には、通信部１３０に高速で通信を行うように指示する。したがって、ユーザは、予め契約内容情報に設定された時間帯に、自動的に、高速な通信サービスの提供を受けることができる。
【００６５】
また、本実施形態によれば、制御部１７０が、ユーザによって予め契約内容情報に設定された時間帯ごとに、高速通信で使用可能な通信量を設定する。そして、制御部１７０は、当該時間帯ごとに、設定された通信量を超えるまで、通信部１３０に高速で通信を行うように指示する。したがって、高速通信で使用可能な通信量は、各時間帯で平準化されて設定される。よって、ユーザは、予め契約内容情報に設定されたいずれもの時間帯に、自動的に、高速な通信サービスの提供を受けることができる。すると、ＳＩＭカードに応じた契約の期間内に、当該契約に応じた通信量を超過してしまい、ユーザが高速な通信サービスの提供を受けられなくなる事態の発生を良好に防止することができる。
【００６６】
実施形態２．
次に、本発明の第２の実施形態の通信装置１０２について説明する。本発明の第１の実施形態の通信装置１００は、日時に応じて通信に使用するＳＩＭカードを切り替える。それに対して、本発明の第２の実施形態の通信装置１０２は、位置に応じて通信に使用するＳＩＭカードを切り替える。
【００６７】
図８は、本発明の第２の実施形態の通信装置１０２の構成例を示すブロック図である。図２に示すように、本発明の第２の実施形態の通信装置１０２は、第１のＳＩＭカードスロット１１２、第２のＳＩＭカードスロット１２２、通信部１３２、記憶部１６２、制御部１７２、および位置情報生成部１８２を含む。
【００６８】
第１のＳＩＭカードスロット１１２および第２のＳＩＭカードスロット１２２には、ＳＩＭカードがそれぞれ装着される。なお、本例では、第１のＳＩＭカードスロット１１２には、複数の国内で通信サービスの提供を受けることができる契約に応じた第１のＳＩＭカード２１２が装着されているとする。また、本例では、第２のＳＩＭカードスロット１２２には、一の国内で通信サービスの提供を受けることができる契約に応じた第２のＳＩＭカード２２２が装着されているとする。当該一の国内は、当該複数の国内に含まれていてもよいし、含まれていなくてもよい。なお、本例では、当該複数の国内に当該一の国内が含まれている場合に、ユーザは、当該一の国内で、第２のＳＩＭカード２２２に応じた契約によって、第１のＳＩＭカード２１２に応じた契約による通信サービスよりも有利な条件で通信サービスの提供を受けることができるとする。
【００６９】
通信部１３２は、携帯電話網等の移動体通信網の基地局と通信を行う。位置情報生成部１８２は、例えば、ＧＰＳ（Ｇｌｏｂａｌ  Ｐｏｓｉｔｉｏｎｉｎｇ  Ｓｙｓｔｅｍ）衛星から信号を受信して、受信した信号に基づいて現在位置を示す位置情報を生成する。記憶部１６２には、制御部１７２が、位置情報生成部１８２が生成した位置情報に基づいて、通信装置１０２の現在位置が一の国内であるか否かを判断可能な情報が記憶されている。本例では、記憶部１６２には、位置情報に基づいて現在位置が一の国内であるか否かを判断可能な地図情報が記憶されているとする。制御部１７２は、通信装置１０２の全体を制御する。
【００７０】
次に、本発明の第２の実施形態の通信装置１０２の動作について説明する。図９は、本発明の第２の実施形態の通信装置１０２の動作を示すフローチャートである。図９に示すように、制御部１７２は、まず、位置情報生成部１８２から位置情報を取得する（ステップＳ４０１）。そして、制御部１７２は、ステップＳ４０１の処理で取得した位置情報が示す現在位置と、記憶部１６２に記憶されている地図情報とに基づいて、現在位置が一の国内であるか否かを判断する（ステップＳ４０２）。なお、制御部１７２は、ステップＳ４０１の処理で取得した位置情報が示す現在位置と、記憶部１６２に記憶されている地図情報とに基づいて、現在位置を特定してもよい。
【００７１】
制御部１７２は、現在位置が一の国内であると判断した場合に（ステップＳ４０２のＹ）、第２のＳＩＭカードスロット１２２に装着されている第２のＳＩＭカード２２２に基づく通信を行うと決定する（ステップＳ４０３）。そして、制御部１７０は、第２のＳＩＭカード２２２に基づく通信を通信部１３２に指示し、通信部１３２は、第２のＳＩＭカード２２２に基づく通信を行う。
【００７２】
制御部１７２は、現在位置が一の国内でないと判断した場合に（ステップＳ４０２のＮ）、以下の処理を行う。すなわち、制御部１７２は、第２のＳＩＭカードスロット１２２に装着されている第１のＳＩＭカード２１２に基づく通信を行うと決定する。そして、制御部１７２は、現在使用すると設定されているＳＩＭカードが第１のＳＩＭカード２１２である場合に（ステップＳ４０４のＹ）、第１のＳＩＭカード２１２に基づく通信を通信部１３２に指示する（ステップＳ４０５）。すると、通信部１３２は、第１のＳＩＭカード２１２に基づく通信を行う。
【００７３】
また、制御部１７２は、現在使用すると設定されているＳＩＭカードが第１のＳＩＭカード２１２でない場合に（ステップＳ４０４のＮ）、第１のＳＩＭカード２１２を使用するＳＩＭカードに設定し、第１のＳＩＭカード２１２に基づく通信を通信部１３２に指示する（ステップＳ４０６）。すると、通信部１３２は、第１のＳＩＭカード２１２に基づく通信を行う。
【００７４】
本実施形態によれば、位置情報生成部１８２が位置情報を生成する。そして、制御部１７２が、位置情報が示す位置に応じたＳＩＭカードに基づく通信を行うと決定する。したがって、通信装置１０２の位置に応じて、自動的に、適切なＳＩＭカードを用いた通信を行うことができる。
【００７５】
実施形態３．
次に、本発明の第３の実施形態の通信装置１０について、図面を参照して説明する。図１０は、本発明の第３の実施形態の通信装置１０の構成例を示すブロック図である。図１０に示すように、本発明の第３の実施形態の通信装置１０は、保持部１１、日時情報生成部１５、記憶部１６、通信部１３、および制御部１７を含む。
【００７６】
保持部１１は、例えば、図１に示す本発明の第１の実施形態における第１のＳＩＭカードスロット１１０および第２のＳＩＭカードスロット１２０に相当する。日時情報生成部１５は、例えば、図１に示す本発明の第１の実施形態における日時情報生成部１５０に相当する。記憶部１６は、例えば、図１に示す本発明の第１の実施形態における記憶部１６０に相当する。通信部１３は、例えば、図１に示す本発明の第１の実施形態における通信部１３０に相当する。制御部１７は、例えば、図１に示す本発明の第１の実施形態における制御部１７０に相当する。
【００７７】
保持部１１には、複数のＳＩＭカードを装着可能である。日時情報生成部１５は、現在の日時を示す日時情報を生成する。記憶部１６は、情報を記憶する。通信部１３は、保持部１１に装着されている複数のＳＩＭカードのいずれかに記憶されている識別情報に基づいて提供されるサービスに応じた通信を行う。制御部１７は、提供されるサービスを選択するために、複数のＳＩＭカードのいずれかを選択する。
【００７８】
そして、記憶部１６には、一のＳＩＭカードに応じたサービスの提供を受けたい使用期間を示す使用態様情報が記憶される。
【００７９】
また、制御部１７は、日時情報が示す日時が、使用態様情報によって示される使用期間内である場合に一のＳＩＭカードを選択し、使用期間外である場合に他のＳＩＭカードを選択する。
【００８０】
そして、通信部１３は、制御部１７が選択したＳＩＭカードに記憶されている識別情報に基づいて提供されるサービスに応じた通信を行う。
【００８１】
本実施形態によれば、ユーザが手間をかけることなく、使用態様および契約内容に応じて通信サービスの提供を受けることができる。
【符号の説明】
【００８２】
１０、１００、１０２    通信装置
１１    保持部
１３、１３０、１３２    通信部
１５、１５０    日時情報生成部
１６、１６０、１６２    記憶部
１７、１７０、１７２    制御部
１１０、１１２    第１のＳＩＭカードスロット
１２０、１２２    第２のＳＩＭカードスロット
１４０    通信量監視部
１８２    位置情報生成部
２１０、２１２    第１のＳＩＭカード
２２０、２２２    第２のＳＩＭカード
【図１】
0006502129.tif 000002
【図２】
0006502129.tif 000003
【図３】
0006502129.tif 000004
【図４】
0006502129.tif 000005
【図５】
0006502129.tif 000006
【図６】
0006502129.tif 000007
【図７】
0006502129.tif 000008
【図８】
0006502129.tif 000009
【図９】
0006502129.tif 000010
【図１０】
0006502129.tif 000011